(57)【要約】【課題】フォルダーの中身全体を一つの表示領域において俯瞰することが可能な表示方法、および表示装置を提供する。【解決手段】第１の仮想軸上に配置され、第１の仮想軸と交差する第２の仮想軸を中心にして回転し、さらに第１の仮想軸に対して回転して表示されている複数の画像（サムネイル画像１１，１２など）で構成されている画像束（サムネイル束２１，２２，２３，２４）と、を含み、複数の画像が表示部における第１の方向に並んで配置されている画像束を複数有し、複数の画像束は、第１の方向と交差する第２の方向に沿って配置されている。【選択図】図３
2020071574.tif 000002
【特許請求の範囲】
【請求項１】
第１の仮想軸上に配置された複数の画像のそれぞれが、前記第１の仮想軸と交差するそれぞれの第２の仮想軸を中心にして回転し、さらに前記第１の仮想軸を中心に回転して表示部に表示させる表示方法であって、
前記複数の画像が前記表示部における前記第１の方向に並んで配置されている画像束を複数有し、
複数の前記画像束は、前記第１の方向と交差する第２の方向に沿って配置する、
表示方法。
【請求項２】
前記画像は、
隣り合う前記画像と一部が重なる状態を含み配置する、
請求項１に記載の表示方法。
【請求項３】
前記画像束は、それぞれのページ数を有するファイルを含み、
前記ファイルの代表ページに係る前記画像を、前記第１の方向において前記画像束に並んで表示する、
請求項１または請求項２に記載の表示方法。
【請求項４】
前記画像束の背景に、前記画像束に含まれるファイルの代表ページに係る前記画像の一部を表示する、
請求項１または請求項２に記載の表示方法。
【請求項５】
前記代表ページに係る前記画像を、グラデーション表示する、
請求項３または請求項４に記載の表示方法。
【請求項６】
前記代表ページに係る前記画像に、ファイル名を表示する、
請求項３ないし請求項５のいずれか一項に記載の表示方法。
【請求項７】
直近に既読した前記画像は、前記画像束の内において見開き状態で表示する、
請求項１ないし請求項６のいずれか一項に記載の表示方法。
【請求項８】
前記ファイルに含まれている前記画像を、それぞれのドキュメントに応じて区分し、
区分された前記ドキュメントごとの前記画像を、複数の前記画像束に割り当てて表示する、
請求項３ないし請求項７のいずれか一項に記載の表示方法。
【請求項９】
区分された前記ドキュメントを収納する前記画像束には、対応する前記ドキュメントの内容を示す表題を付帯表示する、
請求項８に記載の表示方法。
【請求項１０】
前記画像束は、前記ページ数に応じて降順、もしくは昇順に配列する、
請求項８または請求項９に記載の表示方法。
【請求項１１】
前記画像束に含まれる前記画像数は、上限数が定められており、
前記上限数を超える前記画像は、隣り合う前記画像束に分割して表示する、
請求項１ないし請求項７のいずれか一項に記載の表示方法。
【請求項１２】
複数の前記ファイルそれぞれの先頭ページをレンダリングした前記画像が、前記第１の方向に並んで表示されている前記画像束を含む、
請求項３ないし請求項１１に記載の表示方法。
【請求項１３】
複数の画像で構成されている画像束を表示する表示部と、
第１の仮想軸上に配置され、前記第１の仮想軸と交差するそれぞれの第２の仮想軸を中心にして回転し、さらに前記第１の仮想軸を中心に回転した前記複数の画像を生成する画像生成部と、
前記複数の画像が、前記表示部における第１の方向に並べて配置した複数の画像束の画像を生成する表示画像生成部と、
前記表示画像生成部で生成された前記画像束の画像を、前記第１の方向と交差する第２の方向に沿って配置して前記表示部に表示する制御部と、
を備えている、表示装置。
【発明の詳細な説明】
【技術分野】
【０００１】
本発明は、表示方法、および表示装置に関する。
【背景技術】
【０００２】
従来、複数のフォルダーやファイルに含まれている複数の画像を表示する表示方法として、複数のフォルダー、および該フォルダーの下位階層、例えばファイルに含まれている複数の画像を、マトリックス状に配置し、表示部に表示する表示方法が開示されている（例えば、特許文献１参照）。
【先行技術文献】
【特許文献】
【０００３】
【特許文献１】特開２００５−３５２７０１号公報
【発明の概要】
【発明が解決しようとする課題】
【０００４】
特許文献１に記載されている表示方法は、複数のフォルダーやファイル、およびそれらに含まれている複数の画像などが、表示部に平面的なマトリックス表示として並んで配置された表示である。しかしながら、表示部の表示領域に表示可能なフォルダーやファイルおよび画像の数に限りがあるため、平面的なマトリックス表示では、全てのフォルダーやファイルおよび画像を表示することができず、フォルダーやファイルの中身全体を俯瞰することが困難であった。
【課題を解決するための手段】
【０００５】
本願の表示方法は、第１の仮想軸上に配置された複数の画像のそれぞれが、前記第１の仮想軸と交差するそれぞれの第２の仮想軸を中心にして回転し、さらに前記第１の仮想軸を中心に回転して表示部に表示させる表示方法であって、前記複数の画像が前記表示部における前記第１の方向に並んで配置されている画像束を複数有し、複数の前記画像束は、前記第１の方向と交差する第２の方向に沿って配置する。
【０００６】
上述の表示方法において、前記画像は、隣り合う前記画像と一部が重なる状態を含み配置することとしてもよい。
【０００７】
上述の表示方法において、前記画像束は、それぞれのページ数を有するファイルを含み、前記ファイルの代表ページに係る前記画像を、前記第１の方向において前記画像束に並んで表示することとしてもよい。
【０００８】
上述の表示方法において、前記画像束の背景に、前記画像束に含まれるファイルの代表ページに係る前記画像の一部を表示することとしてもよい。
【０００９】
上述の表示方法において、前記代表ページに係る前記画像を、グラデーション表示することとしてもよい。
【００１０】
上述の表示方法において、前記代表ページに係る前記画像に、ファイル名を表示することとしてもよい。
【００１１】
上述の表示方法において、直近に既読した前記画像は、前記画像束の内において見開き状態で表示することとしてもよい。
【００１２】
上述の表示方法において、前記ファイルに含まれている前記画像を、それぞれのドキュメントに応じて区分し、区分された前記ドキュメントごとの前記画像を、複数の前記画像束に割り当てて表示することとしてもよい。
【００１３】
上述の表示方法において、区分された前記ドキュメントを収納する前記画像束には、対応する前記ドキュメントの内容を示す表題を付帯表示することとしてもよい。
【００１４】
上述の表示方法において、前記画像束は、前記ページ数に応じて降順、もしくは昇順に配列することとしてもよい。
【００１５】
上述の表示方法において、前記画像束に含まれる前記画像数は、上限数が定められており、前記上限数を超える前記画像は、隣り合う前記画像束に分割して表示することとしてもよい。
【００１６】
上述の表示方法において、複数の前記ファイルそれぞれの先頭ページをレンダリングした前記画像が、前記第１の方向に並んで表示されている前記画像束を含むこととしてもよい。
【００１７】
本願の表示装置は、複数の画像で構成されている画像束を表示する表示部と、第１の仮想軸上に配置され、前記第１の仮想軸と交差するそれぞれの第２の仮想軸を中心にして回転し、さらに前記第１の仮想軸を中心に回転した前記複数の画像を生成する画像生成部と、前記複数の画像が、前記表示部における第１の方向に並べて配置した複数の画像束の画像を生成する表示画像生成部と、前記表示画像生成部で生成された前記画像束の画像を、前記第１の方向と交差する第２の方向に沿って配置して前記表示部に表示する制御部と、を備えている。
【図面の簡単な説明】
【００１８】
【図１】実施形態に係る表示装置の一例としてのスマートフォンの概略を示す外観斜視図。
【図２】表示装置のハードウェア構成を示すブロック図。
【図３】画像としてのサムネイル画像を含む画像束としてのサムネイル束の表示例１を示す図。
【図４】サムネイル画像の表示方法１を説明するフローチャート。
【図５Ａ】サムネイル画像を変形させる処理を説明するための図。
【図５Ｂ】サムネイル画像を変形させる処理を説明するための図。
【図５Ｃ】サムネイル画像を変形させる処理を説明するための図。
【図５Ｄ】サムネイル画像を変形させる処理を説明するための図。
【図５Ｅ】サムネイル画像を変形させる処理を説明するための図。
【図６】サムネイル画像の表示方法２を説明するフローチャート。
【図７Ａ】サムネイル画像を含むサムネイル束の表示例２を示す図。
【図７Ｂ】表示例２の表示変更動作を説明する図。
【図７Ｃ】表示例２の他の表示変更動作を説明する図。
【図８】表示例２の変形例を示す図。
【図９】サムネイル画像の表示方法３を説明するフローチャート。
【図１０】サムネイル画像を含むサムネイル束の表示例３を示す図。
【図１１】サムネイル画像を含むサムネイル束の表示例４を示す図。
【図１２】サムネイル画像を含むサムネイル束の表示例５を示す図。
【図１３】サムネイル画像を含むサムネイル束の表示例６を示す図。
【発明を実施するための形態】
【００１９】
以下、各図面に沿って、表示装置、および該表示装置への表示方法の実施形態について説明する。なお、以下で説明する実施形態は、特許請求の範囲に記載された本発明の内容を不当に限定するものではない。また、以下の実施形態で説明される構成の全てが、本発明の必須構成要件であるとは限らない。
【００２０】
［実施形態］
１．表示装置
先ず、図１、図２、および図３を参照して、実施形態に係る表示装置の構成について説明する。図１は、実施形態に係る表示装置の一例としてのスマートフォンの概略を示す外観斜視図である。図２は、表示装置のハードウェア構成を示すブロック図である。なお、図２は、表示装置において電子書籍や電子写真の各ページおよびサムネイル画像およびサムネイル束の表示に係る機能の構成を示したブロック図である。図３は、画像としてのサムネイル画像を含む画像束としてのサムネイル束の表示例１を示す図である。
【００２１】
表示装置１００は、図１に示すように、電子書籍や電子写真などを閲覧するための装置であり、フォルダーやファイルや電子書籍や電子写真などの各ページの画像や表示したい画面の検索画面として、電子書籍や電子写真の各ページを縮小した画像としてのサムネイル画像を表示する。つまり、表示装置１００は、画像を表示可能な電子機器の一例である。なお、以下では、表示装置１００に表示する画像として、サムネイル画像１１，１２など（図３参照）、およびサムネイル画像１１，１２などを並べて表示する画像束としてサムネイル束２１，２２，２３，２４（図３参照）を例示して説明する。また、本実施形態では、フォルダーやファイルを総称して、ファイルを用いて説明する。
【００２２】
また、以下の説明では、「第１の方向」、および「第２の方向」を用いているが、本明細書における「第１の方向」とは、表示部１４０の表示が判読可能な状態で、表示部１４０を構成する画面をユーザーに正対させたときの水平方向（横方向）に相当する。また、「第２の方向」とは、第１の方向と交差する方向であり、表示部１４０の表示が判読可能な状態で、表示部１４０を構成する画面をユーザーに正対させたときの垂直方向（縦方向）に相当する。また、表示装置１００や表示部１４０の説明に用いる各図面には、説明の便宜上、互いに直交する２軸を、Ｘ軸、およびＹ軸として設定していている。即ち、Ｘ軸は、表示部１４０の水平方向（横方向）に沿った方向である「第１の方向」、Ｙ軸は、表示部１４０の垂直方向（縦方向）に沿った方向である「第２の方向」と一致している。また、説明の便宜上、Ｙ軸の正方向を「上」、または「上側」、Ｙ軸の負方向を「下」、または「下側」、Ｘ軸の正方向を「右」、または「右側」、Ｘ軸の負方向を「左」、または「左側」、ということがある。
【００２３】
表示装置１００は、例えばスマートフォンやタブレット型の端末装置などで構成することができる。表示装置１００は、他の情報処理装置（不図示）と、例えばＢｌｕｅｔｏｏｔｈ（登録商標）通信などを例示することができる近距離無線通信や有線通信（不図示）等によって接続されることができる。
【００２４】
本実施形態に係る表示装置１００は、図１に示すように、画像を表示する表示部１４０、およびユーザーに操作される操作ボタンなどの操作部１５０を備えているスマートフォンを例示している。ユーザーは、表示装置１００の液晶ディスプレイ等を用いた表示部１４０に表示された画像を視認することができる。
【００２５】
表示装置１００は、図２に示すように、ハードウェア構成として、サムネイル画像生成部１２０および表示画像生成部１３０を含む制御部１１０、表示部１４０、操作部１５０、および記憶部１６０を備えている。
【００２６】
制御部１１０は、サムネイル画像生成部１２０および表示画像生成部１３０を含む。制御部１１０は、ＣＰＵ（Central Processing Unit）、ＲＯＭ（Read Only Memory）、ＲＡＭ（Random Access Memory）等を備えたマイクロコンピューターであり、ＲＯＭに記憶されたプログラムに従って表示装置１００の各部を制御する。制御部１１０は、操作部１５０から送られた信号から操作内容を特定し、特定した内容に応じて、電子書籍のページを送る処理、ページを戻す処理、サムネイル画像やサムネイル束などの表示画像を表示部１４０に表示させる処理などを行う。
【００２７】
具体的に、制御部１１０は、記憶部１６０にアクセスし、電子書籍や電子写真などの各種データを記憶部１６０に書き込んだり読み出したりすることができる。また、制御部１１０は、サムネイル画像生成部１２０、および表示画像生成部１３０に対して、電子書籍や電子写真などの各ページに係る各種データや電子書籍や電子写真などの各種データを縮小したサムネイル画像やサムネイル束の画像を生成させたり、それらの表示画像データを生成させたりすることができる。
【００２８】
また、制御部１１０は、図３に示すように、表示画像生成部１３０で生成された画像束としてのサムネイル束２１，２２，２３，２４の画像を、表示部１４０の垂直方向である第２の方向（図中Ｙ軸）に沿って順次配置して表示部１４０に表示する。また、制御部１１０は、表示画像生成部１３０で生成された、例えばサムネイル束２１に含まれる複数のサムネイル画像１１，１２などから、このファイルの代表ページとして選択されている代表サムネイル画像３１を、表示部１４０の水平方向である第１の方向（図中Ｘ軸）の、例えば図中左側の位置に、サムネイル束２１に並べて表示する。
【００２９】
なお、図３では、サムネイル束２１において、構成するサムネイル画像１１，１２を示し、一つのファイルに含まれる複数のページに相応する複数のサムネイル画像の代表としている。また、図３に示す表示例１では、サムネイル束２１に加えて、三つのサムネイル束２２，２３，２４が表示され、それぞれのサムネイル束２２，２３，２４の第１の方向において、それぞれのファイルの代表ページとして選択されている代表サムネイル画像３２，３３，３４を、サムネイル束２２，２３，２４それぞれの、図中左側に並べて表示する。
【００３０】
具体的に、サムネイル束２２の第１の方向に沿った図中左側に、サムネイル束２２の代表ページ示す代表サムネイル画像３２が表示されている。また、サムネイル束２３の第１の方向に沿った図中左側に、代表ページを示す代表サムネイル画像３３が表示されている。また、サムネイル束２４の第１の方向に沿った図中左側に、代表ページを示す代表サムネイル画像３４が表示されている。
【００３１】
なお、ファイルの代表ページとして選択されて表示されている代表サムネイル画像３１，３２，３３，３４は、それぞれのサムネイル束２１，２２，２３，２４の図中右側に配置されてもよい。このように、代表サムネイル画像３１，３２，３３，３４をサムネイル束２１，２２，２３，２４の図中右側に配置すると、サムネイル画像１１に相当するページのドキュメントが縦書きである場合の使い勝手を向上させることができる。また、例えば代表サムネイル画像３１，３２，３３，３４は、それぞれのサムネイル束２１，２２，２３，２４の、Ｙ軸に沿った上方、もしくは下方に配置してもよい。
【００３２】
サムネイル画像生成部１２０は、記憶部１６０から各種データを読み出し、電子書籍や電子写真などの各種データを縮小したサムネイル画像を生成する。また、サムネイル画像生成部１２０は、ユーザーが選択して開いているページの画像、もしくは代表ページの画像（以下、選択画像と称する）を生成したり、その画像のサムネイル画像である代表サムネイル画像３１，３２，３３，３４を生成したりする。
【００３３】
具体的に、サムネイル画像生成部１２０は、例えば表示部１４０を構成する画面の水平方向である第１の方向に沿った第１の仮想軸上に配置され、この第１の仮想軸と交差し、表示部１４０の画面の垂直方向である第２の方向に沿ったそれぞれの第２の仮想軸を中心にして回転し、さらに第１の仮想軸を中心に回転した複数の画像としてのサムネイル画像１１，１２などを生成する。なお、このサムネイル画像１１，１２などの生成方法については、後段にて詳細に説明する。
【００３４】
表示画像生成部１３０は、サムネイル画像生成部１２０によって生成された複数のページの各サムネイル画像１１，１２などを、表示部１４０の水平方向である第１の方向（Ｘ軸）に並べて配置したサムネイル束の画像を生成する。つまり、表示画像生成部１３０は、一つのサムネイル束、例えばサムネイル束２１を、一つのファイルに含まれる各ページのサムネイル画像１１，１２などを含み構成する。
【００３５】
また、表示画像生成部１３０は、各サムネイル画像１１，１２を、隣り合って配置されるサムネイル画像と一部が重なる状態を含み、第１の方向に並んで配置する。このように、サムネイル画像１１，１２などが、隣り合うサムネイル画像と一部が重なる状態を含むことから、一つのサムネイル束２１に含まれるサムネイル画像１１，１２などの数を多くすることができる。
【００３６】
そして、表示画像生成部１３０は、このような構成の複数のサムネイル束２１，２２，２３，２４を構成する。なお、サムネイル束２１，２２，２３，２４の配置数は、図３に示す四つ（四列）に限らず、単数、もしくは四つ以外の複数であってもよい。
【００３７】
表示部１４０は、制御部１１０の指示に基づいて、複数のサムネイル画像１１，１２などを含むサムネイル束２１，２２，２３，２４、および各サムネイル束２１，２２，２３，２４の代表ページの代表サムネイル画像３１，３２，３３，３４などを画像として表示する。表示部１４０は、例えば液晶ディスプレイとタッチパッドのような位置入力装置を組み合わせたタッチパネルで構成することができる。
【００３８】
操作部１５０は、ユーザーに操作される操作ボタンやタッチパネルなどによって構成されている。操作部１５０は、操作ボタンを押し下げたり、タッチパネルをドラッグアンドドロップやフリックなどの操作によって生じる操作信号を、制御部１１０へ送ることができる。
【００３９】
記憶部１６０は、書籍データや電子写真データなどを表示部１４０に表示させる画像データとして記憶するメモリーである。なお、記憶部１６０は、ファイルとして、例えば複数の書籍データに係る複数のページを一つのまとまりとして収納しているファイルや複数の電子写真データを一つのまとまりとして収納しているファイルなどを記憶することができる。
【００４０】
本実施形態の表示装置１００によれば、表示部１４０を構成する画面の水平方向である第１の方向（Ｘ軸）に沿った第１の仮想軸上に配置され、この第１の仮想軸と交差する第２の方向（Ｙ軸）に沿った第２の仮想軸を中心に回転し、さらに第１の仮想軸を中心回転した複数の画像としてのサムネイル画像１１，１２などを用いて表示する。表示装置１００は、このサムネイル画像１１，１２などを第１の方向に並べて配置した画像束としてのサムネイル束２１，２２，２３，２４が表示部１４０に、第１の方向（Ｘ軸）と交差する第２の方向（Ｙ軸）に沿って複数配置されて表示されている。これにより、表示装置１００は、表示部１４０の限られた表示領域に、より多くのサムネイル束２１，２２，２３，２４およびサムネイル画像１１，１２などを表示することができる。このように、表示部１４０の限られた表示領域においても、画像束の中身、換言すれば各ページの集合体であるフォルダーやファイルの中身全体を俯瞰することができる表示装置１００を提供することができる。
【００４１】
２．表示方法
［表示方法１］
（表示例１）
次に、図４を参照して表示装置１００における表示方法１について説明する。図４は、サムネイル画像の表示方法１を説明するフローチャートであり、表示装置１００で実行される処理の流れを示している。なお、表示装置１００における構成部位に関しては、上述と同符号を付して説明する。
【００４２】
先ず、制御部１１０は、記憶部１６０に記憶されている複数の書籍データや電子写真のファイルから、検索画面として表示するサムネイル束２１，２２，２３，２４やサムネイル束２１，２２，２３，２４を構成するサムネイル画像１１，１２などに対応するファイルデータを読み出す（ステップＳ２０１）。また、制御部１１０は、操作部１５０において、記憶部１６０に記憶されている複数の書籍データや電子写真データの中から一つを選択する操作が行われると、選択されたデータを記憶部１６０から読み出す。
【００４３】
次に、制御部１１０は、記憶部１６０から読み出したファイルデータの各ページのデータをサムネイル画像生成部１２０へ供給する（ステップＳ２０２）。サムネイル画像生成部１２０は、受け取った各ページのデータに基づいてレンダリングした、それぞれのページのサムネイル画像１１，１２などを生成し、表示画像生成部１３０へ供給する（ステップＳ２０３）。
【００４４】
なお、画像としてのサムネイル画像１１，１２などについては、例えば表示部１４０を構成する画面の第１の方向に沿った第１の仮想軸上に配置され、該第１の仮想軸と交差し、表示部１４０を構成する画面の第２の方向に沿った第２の仮想軸を中心にして回転し、さらに、第１の仮想軸を中心に回転して表示されている画像である。このように、サムネイル画像１１，１２などは、第２の仮想軸および第１の仮想軸を中心にして回転されることによって、表示を判読可能な状態で画面をユーザーに正対させたとき、複数のサムネイル画像１１，１２などで構成されるサムネイル束２１，２２，２３，２４を俯瞰できる状態に変形される。即ち、ユーザーが、サムネイル束２１，２２，２３，２４に含まれている複数のサムネイル画像１１，１２などを斜め上方から斜視し、俯瞰したときと同様なページの見え方となるように、各ページのサムネイル画像１１，１２などが変形されている。
【００４５】
ここで図５Ａ、図５Ｂ、図５Ｃ、図５Ｄ、および図５Ｅを参照して、サムネイル画像を変形させる処理について説明する。図５Ａ〜図５Ｅは、サムネイル画像を変形させる処理を説明するための図である。なお、以下、サムネイル画像を変形させる処理についての説明では、上述において付されていたサムネイル画像の符号（１１，１２）を省略している。
【００４６】
サムネイル画像生成部１２０から供給される各サムネイル画像は、書籍や電子写真などの各ページを平面視した画像であり、図５Ｂに示すように、縦方向の長さをＬ、横方向の長さをＳとした画像１１ｂである。換言すれば、画像１１ｂは、縦方向の辺が表示部１４０の第２の方向に沿った表示領域の縦方向と平行であり、横方向の辺が表示部１４０の第１の方向に沿った表示領域の横方向と平行に構成されている。
【００４７】
サムネイル画像生成部１２０は、書籍や電子写真などの各ページを表す各サムネイル画像を変形した画像を生成する。具体的に、サムネイル画像生成部１２０は、各ページについて、図５Ａに示すように、ページ１１ａを仮想空間内の仮想水平面Ｎに設定された第１の仮想軸Ｑ上に立てて配置し、第１の仮想軸Ｑと交差するそれぞれの第２の仮想軸Ｍを中心にして、ページ１１ａの横方向が表示領域の横方向に平行な基準位置１１から回転角θで回転させる。さらに、サムネイル画像生成部１２０は、仮想空間内においてそれぞれの第２の仮想軸Ｍを中心にして回転されたページ１１ａを、第１の仮想軸Ｑを中心にして俯角φ（不図示）で回転させた画像を生成する。即ち、サムネイル画像生成部１２０は、仮想空間内において、第２の仮想軸Ｍを中心にして回転したさせたページ１１ａの上辺より上の視点から、ページ１１ａを俯角φ（不図示）で斜めに見下ろしている画像を生成する。換言すれば、各サムネイル画像を変形した画像は、仮想空間内においてページ１１ａの上辺より上の視点からページ１１ａを俯角φ（不図示）で斜視し、俯瞰している画像として生成される。なお、ページを回転させていない場合、ページの横方向が表示領域の横方向（第１の方向）に平行な状態であり、回転角θは０°である。また、俯角φは予め定められた角度となっている。また、第２の仮想軸Ｍは、ページの縦方向（第２の方向）の辺に沿って平行である構成に限定されるものではなく、ページの横方向の辺と交差する構成であってもよい。
【００４８】
具体的には、先ず、サムネイル画像生成部１２０は、各ページを正面から見た画像１１ｂ（図５Ｂ参照）に対して、図５Ｃに示すように、横幅を変化させないようにしつつ、縦方向の変形を加え、図５Ｂの画像１１ｂの右辺を左辺に対してＳ・ｓｉｎθ・ｔａｎφだけずらした画像１１ｃを生成する。次に、サムネイル画像生成部１２０は、図５Ｄに示すように、図５Ｃの画像１１ｃを、ｃｏｓθの倍率で横方向に縮小した画像１１ｄを生成する。この結果、画像１１ｄの横幅は、Ｓ・ｃｏｓθとなる。そして、サムネイル画像生成部１２０は、最後に図５Ｅに示すように、図５Ｄの画像１１ｄをｃｏｓφの倍率で縦方向に縮小した画像１１ｅを生成する。この結果、画像１１ｅの縦方向の寸法は、Ｌ・ｃｏｓφとなる。これにより、ページを第２の仮想軸Ｍを中心にして回転角θで回転させ、さらに、第１の仮想軸Ｑを中心に回転させた画像１１ｅが得られる。換言すれば、ページを第２の仮想軸Ｍを中心にして回転角θで回転させ、且つ、ページの上辺より上の視点からページを俯角φで見下ろしたときの画像１１ｅが得られる。
【００４９】
なお、回転角θは、選択ページデータで特定される選択ページについては予め定められた回転角θ１にされ、選択ページの一つ前のページについては、予め定められた回転角−θ１にされる。また、選択ページ以外のページについては、選択ページからページ番号が離れるにつれて回転角θは徐々に大きな角度にされ、選択ページより後のページの回転角θは、本実施形態においては、θ１＜θ＜９０°の範囲にされ、選択ページより前のページの回転角θは、本実施形態においては、−θ１＞−θ＞−９０°の範囲にされる。ここでの選択ページとは、見開き状態の表示などを行うページであり、例えば代表サムネイル画像３１，３２，３３，３４として表示するユーザーの選択したページ、もしくは表紙のページなどを含む。
【００５０】
図４に戻り、表示画像生成部１３０は、サムネイル画像生成部１２０から供給されたそれぞれのページのサムネイル画像１１，１２などを、第１の方向に並ぶように配置した画像束を複数生成する（ステップＳ２０４）。なお、本構成では、複数の画像束としてサムネイル束２１，２２，２３，２４を例示している。
【００５１】
そして、表示画像生成部１３０は、複数の画像束として生成したサムネイル束２１，２２，２３，２４を、第１の方向と交差する第２の方向に沿って配置する表示画像を生成する（ステップＳ２０５）。ここで、表示画像生成部１３０は、変形後の複数のサムネイル画像１１，１２などを、図３に示すように、隣り合う画像と部分的に重ね、表紙のページのサムネイル画像１１から離れるにつれて画像間の間隔が狭くなるように配置する領域ｍと、所定の位置から最後端のページのサムネイル画像１２までの間であって、各画像間を所定の間隔で平行に配置する領域ｓとを含む配置とし、サムネイル束２１を構成する。他のサムネイル束２２，２３，２４も、同様な複数のサムネイル画像１１，１２などの配置で構成される。
【００５２】
また、表示画像生成部１３０は、ステップＳ２０５において、サムネイル束２１，２２，２３，２４の第１の方向に沿った横側に並んで配置するユーザーが選択した選択ページ（以下、選択ページという）、もしくは例えば表紙などの代表ページの表示画像としての代表サムネイル画像３１，３２，３３，３４を生成する。このとき、表示画像生成部１３０は、それぞれのサムネイル束２１，２２，２３，２４の内容を表すファイル名ｎ１，ｎ２，ｎ３，ｎ４を、選択ページ、もしくは例えば表紙などの代表ページの表示画像に重ねて表示する画像として生成する。なお、ファイル名ｎ１，ｎ２，ｎ３，ｎ４は、ドキュメント名と言い換えることができる。
【００５３】
さらに、表示画像生成部１３０は、ステップＳ２０５において、サムネイル束２１，２２，２３，２４の第１の方向に沿った横側に並んで配置する選択ページ、もしくは例えば表紙などの代表ページに相当する代表サムネイル画像３１，３２，３３，３４のそれぞれを、図３に示す矢印ｆ１，ｆ２，ｆ３，ｆ４のように上方から下方に向うに連れて、色調を変化させる、所謂グラデーション表示とした表示画像を生成する。なお、図３に示す表示例１では、明色調から下方に向うに連れて徐々に暗色調となるように変化させている。このような、グラデーション表示により、第２の方向に沿った上下方向である縦方向に隣り合う選択ページ、もしくは例えば表紙などの代表ページの表示画像同士の区切りを判別し易くなり、視認性を高めることができる。また、このようなグラデーション表示により、ファイル名ｎ１，ｎ２，ｎ３，ｎ４を白抜き文字で表示した場合に、暗表示部となっている代表サムネイル画像３１，３２，３３，３４とファイル名ｎ１，ｎ２，ｎ３，ｎ４との対比が明確になり、ファイル名ｎ１，ｎ２，ｎ３，ｎ４を見易くすることができる。
【００５４】
そして、制御部１１０は、表示画像生成部１３０によって生成された種々の表示画像を表示部１４０に表示し（ステップＳ２０６）、一連の処理を終了する。なお、ここでの表示は、図５Ａ〜５Ｅに示す第１の方向に沿った第１の仮想軸Ｑ上に配置され、第１の仮想軸Ｑと交差し、第２の方向に沿った第２の仮想軸Ｍを中心にして回転して表示されている複数の画像１１ｅを用いている。そして、図３に示すように、制御部１１０は、この画像１１ｅであるサムネイル画像１１，１２などによって構成されている画像束としてのサムネイル束２１，２２，２３，２４を、表示部１４０に表示する。具体的に、制御部１１０は、複数のサムネイル画像１１，１２などが第１の方向（図中Ｘ軸）に並んで配置されている複数サムネイル束２１，２２，２３，２４を、第１の方向と交差する第２の方向（図中Ｙ軸）に沿って配置して表示する。
【００５５】
上述のような表示例１の表示方法によれば、表示部１４０を構成する画面の水平方向である第１の方向（Ｘ軸）に沿った第１の仮想軸上に配置され、この第１の仮想軸と交差する第２の方向（Ｙ軸）に沿った第２の仮想軸を中心に回転させ、さらに、第１の仮想軸を中心に回転した画像、即ち仮想空間内においてページを俯瞰した画像である複数の画像としてのサムネイル画像１１，１２などを用いたサムネイル束２１，２２，２３，２４を生成し表示する。このサムネイル画像１１，１２などを、第１の方向に並べて配置した画像束としてのサムネイル束２１，２２，２３，２４は、第１の方向（Ｘ軸）と交差する第２の方向（Ｙ軸）に沿って複数配置されて表示されている。これにより、表示部１４０の限られた表示領域に、より多くのサムネイル束２１，２２，２３，２４およびサムネイル画像１１，１２などを表示することができる。このように、表示部１４０の限られた表示領域においても、画像束の中身、換言すれば各ページの集合体であるフォルダーやファイルの中身全体を俯瞰することができる。
【００５６】
［表示方法２］
（表示例２）
次に、図６、図７Ａ、図７Ｂ、および図７Ｃを参照して表示装置１００における表示方法２について説明する。図６は、サムネイル画像の表示方法２を説明するフローチャートであり、表示装置１００で実行される処理の流れを示している。図７Ａは、サムネイル画像を含むサムネイル束の表示例２を示す図である。図７Ｂは、表示例２の表示変更動作を説明する図である。図７Ｃは、表示例２の他の表示変更動作を説明する図である。なお、表示方法２、および表示例２の説明においても、表示装置１００における構成部位に関しては、上述と同符号を付して説明する。
【００５７】
図６および図７Ａに示すように、先ず、制御部１１０は、表示方法１と同様に、記憶部１６０に記憶されている複数の書籍データや電子写真のファイルから、検索画面として表示するサムネイル束２１，２２，２３，２４やサムネイル束２１，２２，２３，２４を構成するサムネイル画像１１などに対応するファイルデータを読み出す（ステップＳ３０１）。また、制御部１１０は、操作部１５０において、記憶部１６０に記憶されている複数の書籍データや電子写真データの中から一つを選択する操作が行われると、選択されたデータを記憶部１６０から読み出す。
【００５８】
次に、制御部１１０は、表示方法１と同様に、記憶部１６０から読み出したファイルデータの各ページのデータをサムネイル画像生成部１２０へ供給する（ステップＳ３０２）。サムネイル画像生成部１２０は、受け取った各ページのデータに基づいて、それぞれのページのサムネイル画像１１，１２などを生成し、表示画像生成部１３０へ供給する（ステップＳ３０３）。なお、画像としてのサムネイル画像１１，１２などについては、表示方法１と同様であるので、ここでの説明は省略する。
【００５９】
表示画像生成部１３０は、サムネイル画像生成部１２０から供給されたそれぞれのページのサムネイル画像１１を、第１の方向に並ぶように配置した画像束を複数生成する（ステップＳ３０４）。なお、それぞれのページのサムネイル画像１１は、表示領域の左から右へ、例えばページ１、ページ２、ページ３のようにページ番号の昇順で並べて配置してもよいし、逆にページ番号の降順で並べてもよい。本例では、図７Ａに示すように、表示領域の左から右へページ番号の昇順で並べて配置した複数の画像束として、サムネイル束２１，２２，２３，２４を例示している。
【００６０】
次に、表示画像生成部１３０は、ユーザーが選択して開いているページとしての選択ページがあるか否かを判定する（ステップＳ３０５）。そして、選択ページがある場合（ステップＳ３０５：Ｙｅｓ）、表示画像生成部１３０は、図７Ａに示すサムネイル束２４のように、サムネイル束２４の内であって、その選択ページに相応するサムネイル画像１３，１４を変形し、見開き状態の表示画像として生成する（ステップＳ３０６）。ここで、選択ページがない場合（ステップＳ３０５：Ｎｏ）、表示画像生成部１３０は、ステップＳ３０７に移行する。
【００６１】
次に、表示画像生成部１３０は、複数の画像束として生成したサムネイル束２１，２２，２３，２４を、第１の方向と交差する第２の方向に沿って配置する表示画像を生成する（ステップＳ３０７）。ここで、表示画像生成部１３０は、変形後の複数のサムネイル画像１１を、隣り合う画像と部分的に重ね、表紙のページのサムネイル画像１１から離れるにつれて画像間の間隔が狭くなるように配置したり、所定の位置から最後端のページまでの間であって、各画像間を所定の間隔で平行に配置したりしてサムネイル束２１を構成する。他のサムネイル束２２，２３，２４も、同様な複数のサムネイル画像１１の配置で構成される。
【００６２】
表示画像生成部１３０は、図７Ａに示すサムネイル束２４のように、ユーザーが選択して開いているページ、もしくは最後に開いたページである選択ページがある場合、サムネイル束２４の内であって、その選択ページに相応するサムネイル画像１３，１４を見開き状態の表示画像として生成する。なお、表示画像生成部１３０は、選択ページの画像であるサムネイル画像１３と選択ページの一つ後のページの画像であるサムネイル画像１４とについては、ページの全面が見えるように配置する。また、表示画像生成部１３０は、選択ページのデータが表すページの画像の内容が閲覧できるように、見開き状態を構成する選択ページの画像と選択ページの前後のページの画像との間隔を広くする。このような見開き状態の表示とすることにより、ユーザーは、直近に既読したページを、サムネイル束２４の内に配置されている見開き画像、本例ではサムネイル画像１３，１４によって、容易に知ることができる。
【００６３】
また、表示画像生成部１３０は、ステップＳ３０７において、前述の表示方法１と同様に、サムネイル束２１，２２，２３，２４の第１の方向に沿った横側に並んで配置する選択ページ、もしくは例えば表紙などの代表ページの表示画像である代表サムネイル画像３１，３２，３３，３４を生成する。これらの表示画像については、表示方法１と同様であるので、ここでの説明は省略する。
【００６４】
なお、図７Ａに示されているように、例えばサムネイル束２１の先頭に位置するサムネイル画像１１を含むサムネイル束２１の画像は、代表サムネイル画像３１の表示に重なって配置されてもよい。換言すれば、サムネイル束２１の背景に、サムネイル束２１に含まれるファイルの代表ページに係る代表サムネイル画像３１の一部が表示されていてもよい。同様に、サムネイル束２２，２３，２４においても、先頭に位置するサムネイル画像が、代表サムネイル画像３２，３３，３４の表示に重なって配置されてもよい。
【００６５】
なお、サムネイル束２１と代表サムネイル画像３１との重なりは、先頭に位置するサムネイル画像１１だけでなく、サムネイル画像１１に並んで配置されている他のサムネイル画像（付番なし）に重なってもよい。また、サムネイル束２１の表示位置は、重なり度合いを変化させるように、サムネイル束２１を移動可能に表示することとしてもよい。また、代表サムネイル画像３１は、例えば表示部１４０の第１の方向（Ｘ軸）に係る幅いっぱいに表示されてもよい。
【００６６】
このような表示とすれば、サムネイル束２１，２２，２３，２４に含まれるファイルの代表ページに係る代表サムネイル画像３１，３２，３３，３４の一部が、サムネイル束２１，２２，２３，２４の背景に表示される。したがって、ユーザーは、サムネイル束２１，２２，２３，２４の背景に表示される代表サムネイル画像３１，３２，３３，３４に係る画像を視認することによって、当該サムネイル束２１，２２，２３，２４に含まれているファイルの内容を容易に知ることができる。
【００６７】
そして、制御部１１０は、表示画像生成部１３０によって生成された種々の表示画像を表示部１４０に表示し（ステップＳ３０８）、一連の処理を終了する。以上、説明した表示方法２においても、上述した表示方法１と同様な効果を奏することができる。
【００６８】
なお、図７Ｂに示すように、例えばサムネイル束２１の内で、代表ページの代表サムネイル画像３１に重なって表示されているサムネイル画像１１ｆを、重ならない位置に移動させ、移動後のサムネイル画像１１ｍとして表示することができる。この移動は、例えばユーザーがタッチパネルとなっているサムネイル画像１１ｆの表示部分に指９０ｆを当て、ドラッグアンドドロップやフリックなど、例えば指９０ｍの移動操作によって行うことができる。なお、指９０ｍがタッチパネルから離れて所定の時間を経過すると、サムネイル画像１１ｍが元の位置の表示であるサムネイル画像１１ｆとして再移動することができる。このようにすることで、ユーザーは、代表サムネイル画像３１を、重なって表示されているサムネイル画像１１ｆに邪魔されることなく、容易に判読することができ、このサムネイル束２１の内容を知ることができる。
【００６９】
また、図７Ｃに示すように、例えばサムネイル束２１のサムネイル画像１１ｓを、代表サムネイル画像と重なる位置に移動させ、見開き状態のサムネイル画像を他のサムネイル画像１１ｐ，１１ｒに移動して表示することができる。この移動は、例えばユーザーがタッチパネルとなっているサムネイル束２１の表示部分に指９０ｆを当てた状態で図中矢印の方向に指９０ｍの位置まで移動するドラッグアンドドロップやフリックなどの移動操作によって行うことができる。このようにすることで、サムネイル束２１が広い領域に広がって表示されるため、ユーザーは、サムネイル束２１に含まれるサムネイル画像を容易に判読することができる。
【００７０】
（表示例２の変形例）
次に、図８を参照して表示例２の変形例について説明する。図８は、表示例２の変形例を示す図である。図７Ａに示して説明した表示例２は、例えば代表ページの代表サムネイル画像３１の内容を表すファイル名ｎ１を、例えば表紙などの代表ページの表示画像の中央部よりも下側領域に配置して表示していた。これと比較し、図８に示す変形例は、代表サムネイル画像３１の内容を表すファイル名ｎ５の配置位置が異なっている。図８に示す変形例は、代表サムネイル画像３１の内容を表すファイル名ｎ５を、代表ページの表示画像の中央部に重ねて表示している。なお、ファイル名ｎ５は、ドキュメント名と言い換えることができる。このように、例えば表紙などの代表ページの表示画像の中央部に重ねてファイル名ｎ５を表示することにより、ユーザーは、サムネイル束２１に含まれているファイルの内容を容易に知ることができる。
【００７１】
［表示方法３］
（表示例３）
次に、図９、および図１０を参照して表示装置１００における表示方法３について説明する。図９は、サムネイル画像の表示方法３を説明するフローチャートであり、表示装置１００で実行される処理の流れを示している。図１０は、サムネイル画像を含むサムネイル束の表示例３を示す図である。なお、表示例３の説明においても、表示装置１００における構成部位に関しては、上述と同符号を付して説明する。
【００７２】
図９および図１０に示すように、先ず、制御部１１０は、表示方法１と同様に、記憶部１６０に記憶されている複数の書籍データや電子写真のファイルから、検索画面として表示するサムネイル束２１，２６，２７，２９やサムネイル束２１，２６，２７，２９，を構成する、例えばサムネイル画像１１，１２，１５，１６，１７などに対応するファイルデータを読み出す（ステップＳ４０１）。
【００７３】
次に、制御部１１０は、表示方法１と同様に、記憶部１６０から読み出したファイルデータの各ページのデータをサムネイル画像生成部１２０へ供給する（ステップＳ４０２）。サムネイル画像生成部１２０は、受け取った各ページのデータに基づいて、それぞれのページのサムネイル画像１１，１２，１５，１６，１７などを生成し、表示画像生成部１３０へ供給する（ステップＳ４０３）。なお、画像としてのサムネイル画像１１，１２，１５，１６，１７などについては、表示方法１と同様であるので、ここでの説明は省略する。
【００７４】
図１０では図示していないが、表示画像生成部１３０は、サムネイル画像生成部１２０から供給されたそれぞれのページのサムネイル画像１１，１２，１５，１６，１７などを、第１の方向に並ぶように配置した画像束を複数生成する（ステップＳ４０４）。このとき、表示画像生成部１３０は、一のファイルデータに対応した画像束として、サムネイル束２５，２６，２７を含み先頭をサムネイル画像１１とした仮サムネイル束と、二のファイルデータに対応した画像束として、サムネイル束２９を含み先頭をサムネイル画像１７とした仮サムネイル束と、を生成する。
【００７５】
次に、制御部１１０は、一の画像束および二の画像束として生成した各仮サムネイル束の表示に関し、ドキュメントごとの区分表示の指示、またはページ数の指定（画像数の指定）があるか否かを判定する（ステップＳ４０５）。
【００７６】
ステップＳ４０５において、制御部１１０が、ドキュメントごとの区分表示の指示、またはページ数もしくは画像数の指定があると判定した（ステップＳ４０５：Ｙｅｓ）場合、制御部１１０は、例えば一列のサムネイル束に含まれるサムネイル画像の数を変更するなどのサムネイル束の配置の変更を、表示画像生成部１３０に指示し（ステップＳ４０６）、次のステップＳ４０７に移行する。なお、本例では、例えば一つのサムネイル束に含まれるページ数もしくは画像数の上限値が設定されているなどのページ数指定がある場合であって、先頭をサムネイル画像１１として、サムネイル画像１２，１５，１６を含む仮サムネイル束がページ指定数よりも多いページ数を含んでいる一のファイルに相当する。即ち、この仮サムネイル束が、ステップＳ４０７においてサムネイル束の配置の変更を実行する対象となる。
【００７７】
また、ステップＳ４０５において、制御部１１０が、ドキュメントごとの区分表示の指示、またはページ数の指定がないと判定した（ステップＳ４０５：Ｎｏ）場合は、次のステップＳ４０７に移行する。
【００７８】
ステップＳ４０７において、一列のサムネイル束に含まれるサムネイル画像の数などのサムネイル束の配置の変更がある場合、表示画像生成部１３０は、先頭をサムネイル画像１１とした仮サムネイル束を複数のサムネイル束、本例では三つのサムネイル束２５，２６，２７に区分して表示画像を生成する。表示画像生成部１３０は、上限数までのサムネイル画像１１，１２などをサムネイル束２５に振り分け、上限数を超えるサムネイル画像１５をサムネイル束２５の第２の方向の隣りに位置するサムネイル束２６に振り分け、更に上限数を超えるサムネイル画像１６をサムネイル束２６の第２の方向の隣りに位置するサムネイル束２７に振り分けて三つのサムネイル束２５，２６，２７を生成する。なお、それぞれのページのサムネイル画像１１，１５，１６などは、表示領域の左から右へページ番号の昇順で並べて配置してもよいし、ページ番号の降順で並べて配置してもよい。
【００７９】
このように、一つのファイルに含まれているサムネイル画像１１，１２，１５，１６などが、上限数によって区分され、複数のサムネイル束として三つのサムネイル束２５，２６，２７に割り当てられた表示とすることにより、例えば一つのサムネイル束２５に含まれるサムネイル画像１１，１２，１５，１６などの数が多すぎて、ユーザーが画像を認識できないなどの不具合を防止することができる。
【００８０】
なお、表示画像生成部１３０は、サムネイル束２５，２６，２７を含み、先頭をサムネイル画像１１として構成されたファイルの選択ページ、もしくは例えば表紙などの代表ページの表示画像としての代表サムネイル画像３８を生成する。表示画像生成部１３０は、代表サムネイル画像３８を、サムネイル束２５の第１の方向に沿った横側に並んで配置する。
【００８１】
また、上限数に応じて区分された複数のサムネイル束としての三つのサムネイル束２５，２６，２７の内の先頭を示すサムネイル束２５には、対応するドキュメントの内容を示す表題ｎ８を付帯表示することとしてもよい。なお、表題ｎ８は、サムネイル束２５の第１の方向に沿った横側に並んで配置されている代表サムネイル画像３８の一部に重なって配置されている。このように、対応するドキュメントの内容を示す表題ｎ８を付帯表示することにより、サムネイル束２５に含まれるドキュメントの内容を容易に知ることができる。
【００８２】
また、表示画像生成部１３０は、ステップＳ４０７において、上述したような配置の変更がない場合、表示画像生成部１３０は、前述の表示方法１と同様に、二のファイルデータに対応した画像束として、先頭をサムネイル画像１７として一列に並んだサムネイル束２９を生成する。そして、表示画像生成部１３０は、このファイルの選択ページ、もしくは代表ページや表紙などの表示画像である代表サムネイル画像３９を生成し、サムネイル束２９の第１の方向に沿った横側に並んで配置する。また、同様に、表示画像生成部１３０は、サムネイル束２９に、対応するドキュメントの内容を示す表題ｎ９を付帯表示することとしてもよい。なお、表題ｎ９は、サムネイル束２９の第１の方向に沿った横側に並んで配置されている代表サムネイル画像３９の一部に重なって配置されている。
【００８３】
そして、制御部１１０は、表示画像生成部１３０によって生成された種々の表示画像を表示部１４０に表示し（ステップＳ４０８）、一連の処理を終了する。以上、説明した表示方法３においても、上述した表示方法１と同様な効果を奏することができる。
【００８４】
（表示例４）
次に、図１１を参照して、サムネイル画像を含むサムネイル束の表示例４について説明する。図１１は、サムネイル画像を含むサムネイル束の表示例４を示す図である。
【００８５】
図１１に示す表示例４は、前述した表示方法３のステップＳ４０５において、制御部１１０が、ドキュメントごとの区分表示の指示があると判定した（ステップＳ４０５：Ｙｅｓ）場合の表示例を示している。なお、本例では、一の画像束として生成した、先頭をサムネイル画像１１として、一の画像束として生成したサムネイル束２５，２６，２７を含む仮サムネイル束が、ドキュメントごとの区分表示の指示がある一のファイルに相応する。
【００８６】
表示例４は、先頭をサムネイル画像１１とした仮サムネイル束を複数のサムネイル束、本例では三つのサムネイル束２５，２６，２７に区分して表示する。このとき三つのサムネイル束２５，２６，２７には、ファイルに含まれている画像をそれぞれのドキュメントに応じて区分し、ドキュメントごとのサムネイル画像１１，１２，１５，１６などとして割り当てられている。具体的に、ドキュメントに応じた三つのサムネイル束２５，２６，２７として、先頭をサムネイル画像１１としたサムネイル束２５、先頭をサムネイル画像１５としたサムネイル束２６、および先頭をサムネイル画像１６としたサムネイル束２７を表示する。
【００８７】
このように、ファイルに含まれているサムネイル画像１１，１２，１５，１６などが、ドキュメントに応じて区分され、複数のサムネイル束として三つのサムネイル束２５，２６，２７に割り当てられた表示とすることにより、ユーザーは、それぞれのサムネイル束２５，２６，２７の内容を知り易くなり、画像の検索を容易に行なうことができる。
【００８８】
なお、区分された各ドキュメントのサムネイル画像１１，１２，１５，１６などを収納するサムネイル束２５，２６，２７のそれぞれには、対応するドキュメントの内容を示す表題４１，４２，４３を付帯表示することとしてもよい。本例では、このページの画像データを収納した日付け情報、例えば、電子写真の撮影日を、表題４１，４２，４３として付帯表示している。このように、対応するドキュメントの内容を示す表題４１，４２，４３を付帯表示することにより、サムネイル束２５，２６，２７のそれぞれに含まれるドキュメントの内容を容易に知ることができる。
【００８９】
また、サムネイル束２５，２６，２７の配置方向に沿った一方、本例では第１の方向の上側に位置する背景部分には、サムネイル束２５，２６，２７を構成する、例えばサムネイル画像１１，１２，１５，１６などを含むファイルの代表ページ、もしくは選択ページを示す代表サムネイル画像３５が、サムネイル画像１１，１２，１５，１６などの拡大画像として見易く表示されている。即ち、代表サムネイル画像３５は、表示部１４０の第１の方向（Ｘ軸）に係る幅いっぱいを用いて表示されてもよい。なお、ファイルの代表ページ、もしくは選択ページの表示画像である代表サムネイル画像３５については、表示方法１と同様であるので、ここでの説明は省略する。
【００９０】
また、ドキュメントに応じて区分された複数のサムネイル束としての三つのサムネイル束２５，２６，２７は、それぞれを構成するページ数に応じて降順、もしくは昇順に配列されていることとしてもよい。なお、三つのサムネイル束２５，２６，２７のそれぞれを構成するページ数は、サムネイル画像１１，１２，１５，１６などの数と言い換えることができる。このようにすれば、ユーザーは、サムネイル束２５，２６，２７に含まれるページ数を、容易に知ることができる。また、ユーザーは、複数のサムネイル束２５，２６，２７に含まれるページ数を容易に比較することができる。
【００９１】
（表示例５）
次に、図１２を参照して、サムネイル画像を含むサムネイル束の表示例５について説明する。図１２は、サムネイル画像を含むサムネイル束の表示例５を示す図である。
【００９２】
図１２に示す表示例５は、サムネイル束２１，２２，２３，２４を構成するサムネイル画像１１，１２などにおいて、レンダリングされたページと、レンダリングされていない白ページと、が用いられている。換言すれば、各サムネイル束２１，２２，２３，２４において、それぞれを構成するファイルに係る代表的なページ１８をレンダリングし、その他のページ１９をレンダリングせずに白表示のページで表す。なお、代表的なページ１８としてレンダリングするページは、一つのページまたは数ページとする。また、代表ページとしては、見出しもしくは先頭ページを含む。このようにして、該当するファイルのページ数などのファイルサイズを割り出して、それぞれのサムネイル束２１，２２，２３，２４のサイズが見える表示とする。また、代表ページを含むページは、サムネイル画像としてレンダリングし、各サムネイル束２１，２２，２３，２４の中身が見えるように表示する。また、サムネイル束２１のように、全てのサムネイル画像がレンダリングされないし白表示のページで表されていてもよい。また、本例のように、全ページのサムネイル画像１１，１２などの画像が見えるようにレンダリングした構成の、例えばサムネイル束２４を同一画面内に表示することもできる。
【００９３】
数多いページ全てをレンダリングするためには、相当のレンダリング時間がかかり、検索画面の表示終了までにより多くの時間を要してしまうが、表示例５のような白表示を取り入れた表示とすることにより、表示時間の短縮ができるとともに、各サムネイル束２１，２２，２３，２４を構成するファイルの中身の理解も素早く行うことができるができる。なお、ファイルの中身については、ファイルの内容と言い換えることができる。また、各サムネイル束２１，２２，２３，２４の内、例えば各サムネイル束２１，２２，２３，２４の中央部に、見開き状態のサムネイル画像が有る場合は、見開き状態のサムネイル画像を優先してレンダリングする。
【００９４】
（表示例６）
次に、図１３を参照して、サムネイル画像を含むサムネイル束の表示例６について説明する。図１３は、サムネイル画像を含むサムネイル束の表示例６を示す図である。
【００９５】
図１３に示す表示例６は、上述の実施形態と同様な構成のサムネイル束２４と、これと異なる構成の画像束としてサムネイル束５１，５２，５３と、を備えている。具体的に、サムネイル束５１，５２，５３は、例えば、各ファイルの先頭ページ、即ち第１ページのみがレンダリングされたサムネイル画像６１，６２，７１，７２として、第１の方向に並んで配列され、表示されている、所謂ディレクトリーとしての機能を有している。換言すれば、サムネイル束５１，５２，５３には、レンダリングされた先頭ページ、即ち第１ページのみのファイルが並んで表示されている。
【００９６】
このような表示にすれば、表示部１４０の一画面内に表示することができるファイルの数を増やすことができる。そして、各ファイルが代表ページのサムネイル画像で構成されていることから、ファイルの中身を理解することができ、より素早い検索を行うことができる。
【００９７】
また、それぞれのファイルの先頭ページをレンダリングしたサムネイル画像などの画像が第１の方向に並んで表示されているサムネイル束５１，５２，５３により、多くのファイルが存在しても、それぞれのファイルの中身を識別することができる。
【００９８】
なお、上述の実施形態では、表示装置１００としてスマートフォンタイプの通信端末装置を例示して説明したがこれに限らない。他の表示装置としては、例えばタブレット端末、パーソナルコンピューターのディスプレイなどを適用することができる。また、表示装置として、例えば映像投射用のスクリーンなどを表示部として用い、スクリーンなどにサムネイル画像などの画像を含むサムネイル束などの画像束や他の画像を含み構成された画像を投影するプロジェクターを適用することができる。
【００９９】
以下に、上述した実施形態から導き出される内容を、各態様として記載する。
【０１００】
［態様１］本態様に係る表示方法は、第１の仮想軸上に配置された複数の画像のそれぞれが、前記第１の仮想軸と交差するそれぞれの第２の仮想軸を中心にして回転し、さらに前記第１の仮想軸を中心に回転して表示部に表示させる表示方法であって、前記複数の画像が前記表示部における前記第１の方向に並んで配置されている画像束を複数有し、複数の前記画像束は、前記第１の方向と交差する第２の方向に沿って配置する。
【０１０１】
本態様の表示方法によれば、第１の仮想軸上に配置され、且つ第１の仮想軸と交差するそれぞれの第２の仮想軸を中心に回転し、さらに第１の仮想軸を中心に回転させた複数の画像を、表示部における第１の方向に並べて配置した画像束を、第１の方向と交差する第２の方向に沿って複数配置して表示する。したがって、表示部の限られた表示領域に、より多くの画像束および画像束に含まれる画像を表示することができ、画像束の中身、換言すれば複数の画像から構成されるフォルダーの中身、または複数の画像からなるファイルの中身全体を俯瞰することができる。
【０１０２】
［態様２］上記態様に記載の表示方法において、前記画像は、隣り合う前記画像と一部が重なる状態を含み配置することとしてもよい。
【０１０３】
本態様によれば、画像が、隣り合う画像と一部が重なる状態を含んでいることから、一つの画像束に含まれる画像の数を多くすることができる。
【０１０４】
［態様３］上記態様に記載の表示方法において、前記画像束は、それぞれのページ数を有するファイルを含み、前記ファイルの代表ページに係る前記画像を、前記第１の方向において前記画像束に並んで表示することとしてもよい。なお、本明細書における「代表ページ」とは、例えば表紙や要約ページなど、このページを見ればファイルの内容を理解することができるような表示を有するページのことを言う。
【０１０５】
本態様によれば、画像束に含まれるファイルの代表ページが、第１の方向において画像束に並んで表示されることから、この代表ページを視認することによって当該画像束に含まれているファイルの内容を容易に知ることができる。
【０１０６】
［態様４］上記態様に記載の表示方法において、前記画像束の背景に、前記画像束に含まれるファイルの代表ページに係る前記画像の一部を表示することとしてもよい。
【０１０７】
本態様によれば、画像束に含まれるファイルの代表ページに係る画像の一部が、画像束の背景に表示される。したがって、画像束の背景に表示される代表ページに係る画像を視認することによって、当該画像束に含まれているファイルの内容を容易に知ることができる。
【０１０８】
［態様５］上記態様に記載の表示方法において、前記代表ページに係る前記画像を、グラデーション表示することとしてもよい。
【０１０９】
本態様によれば、グラデーション表示により、隣り合う代表ページの表示同士の区切りを判別し易くなり、視認性を高めることができる。
【０１１０】
［態様６］上記態様に記載の表示方法において、前記代表ページに係る前記画像に、ファイル名を表示することとしてもよい。
【０１１１】
本態様によれば、画像束に含まれているファイルのファイル名が表示されていることにより、当該画像束に含まれているファイルの内容を容易に知ることができる。なお、ファイル名は、ドキュメント名と言い換えることができる。
【０１１２】
［態様７］上記態様に記載の表示方法において、直近に既読した前記画像は、前記画像束の内において見開き状態で表示されていることとしてもよい。
【０１１３】
本態様によれば、例えば、直近に既読したページを、画像束の内に配置されている画像によって、容易に知ることができる。
【０１１４】
［態様８］上記態様に記載の表示方法において、前記ファイルに含まれている前記画像を、それぞれのドキュメントに応じて区分し、区分された前記ドキュメントごとの前記画像を、複数の前記画像束に割り当てて表示することとしてもよい。
【０１１５】
本態様によれば、ファイルに含まれている画像がドキュメントに応じて区分され、複数の画像束に割り当てられた表示から、それぞれの画像束の内容を知り易くなり、画像の検索を容易に行なうことができる。
【０１１６】
［態様９］上記態様に記載の表示方法において、区分された前記ドキュメントを収納する前記画像束には、対応する前記ドキュメントの内容を示す表題を付帯表示することとしてもよい。
【０１１７】
本態様によれば、対応するドキュメントの内容を示す表題を付帯表示することにより、それぞれの画像束に含まれるドキュメントの内容を容易に知ることができる。
【０１１８】
［態様１０］上記態様に記載の表示方法において、前記画像束は、前記ページ数に応じて降順、もしくは昇順に配列することとしてもよい。
【０１１９】
本態様によれば、画像束に含まれるページ数（画像数）を、容易に知ることができる。また、複数の画像束のページ数を容易に比較することができる。
【０１２０】
［態様１１］上記態様に記載の表示方法において、前記画像束に含まれる前記画像数は、上限数が定められており、前記上限数を超える前記画像は、隣り合う前記画像束に分割して表示することとしてもよい。
【０１２１】
本態様によれば、一つの画像束に含まれる画像数が多すぎてユーザーが画像を認識できないなどの不具合を防止することができる。
【０１２２】
［態様１２］上記態様に記載の表示方法において、複数の前記ファイルそれぞれの先頭ページをレンダリングした前記画像が、前記第１の方向に並んで表示されている前記画像束を含むこととしてもよい。
【０１２３】
本態様によれば、それぞれのファイルの先頭ページをレンダリングした画像が第１の方向に並んで表示されている画像束により、多くのファイルが存在しても、それぞれのファイルの内容を識別することができる。
【０１２４】
［態様１３］本態様に係る表示装置は、複数の画像で構成されている画像束を表示する表示部と、第１の仮想軸上に配置され、前記第１の仮想軸と交差するそれぞれの第２の仮想軸を中心にして回転し、さらに前記第１の仮想軸を中心に回転した前記複数の画像を生成する画像生成部と、前記複数の画像が、前記表示部における第１の方向に並べて配置した複数の画像束の画像を生成する表示画像生成部と、前記表示画像生成部で生成された前記画像束の画像を、前記第１の方向と交差する第２の方向に沿って配置して前記表示部に表示する制御部と、を備えている。
【０１２５】
本態様の表示装置によれば、第２仮想軸を中心に回転させ、且つ、第１の仮想軸を中心に回転させた画像であって、仮想空間内においてそれぞれのページを俯瞰した画像である複数の画像を、表示部における第１の方向に並べて配置した画像束が、第１の方向と交差する第２の方向に沿って複数配置されることから、表示部の限られた表示領域に、より多くの画像束および画像を表示することができる。このように、表示部の限られた表示領域においても、画像束の中身、換言すれば各ページの集合体であるフォルダーやファイルの中身全体を俯瞰することができる表示装置を提供することができる。
【符号の説明】
【０１２６】
１１，１２…画像としてのサムネイル画像、２１，２２，２３，２４…画像束としてのサムネイル束、３１，３２，３３，３４…代表サムネイル画像、１００…表示装置、１１０…制御部、１２０…サムネイル画像生成部、１３０…表示画像生成部、１４０…表示部、１５０…操作部、１６０…記憶部、Ｑ…第１の仮想軸、Ｍ…第２の仮想軸、θ…回転角、Ｎ…仮想水平面、ｍ，ｓ…領域、ｎ１，ｎ２，ｎ３，ｎ４…ファイル名（ドキュメント名）、ｆ１，ｆ２，ｆ３，ｆ４…矢印。
【図１】
2020071574.tif 000003
【図２】
2020071574.tif 000004
【図３】
2020071574.tif 000005
【図４】
2020071574.tif 000006
【図５Ａ】
2020071574.tif 000007
【図５Ｂ】
2020071574.tif 000008
【図５Ｃ】
2020071574.tif 000009
【図５Ｄ】
2020071574.tif 000010
【図５Ｅ】
2020071574.tif 000011
【図６】
2020071574.tif 000012
【図７Ａ】
2020071574.tif 000013
【図７Ｂ】
2020071574.tif 000014
【図７Ｃ】
2020071574.tif 000015
【図８】
2020071574.tif 000016
【図９】
2020071574.tif 000017
【図１０】
2020071574.tif 000018
【図１１】
2020071574.tif 000019
【図１２】
2020071574.tif 000020
【図１３】
2020071574.tif 000021